(57)【特許請求の範囲】
【請求項１】
操作手段（２４，２６）を備えた第１端（１６）と第２端（１８）とを有する湾曲部（１０）を備え、前記湾曲部は、前記湾曲部を互いに均等な２つの部分に分ける面と、前記面と直交する方向にほぼ一定の厚みと、外側エッジ及び内側エッジ（１２，１４）とを有しており、無負荷状態で前記面内にあるとき、前記湾曲部の前記外側エッジ（１２）が中心Ｏ・水晶体嚢の半径とほぼ等しい半径Ｒである円に点Ａでほぼ接するように配置されると共に前記外側エッジ（１２）が前記円の外側に位置する水晶体嚢リングであって、
前記湾曲部はさらに前記第１端（１６）から、前記外側エッジにおける前記点Ａよりも前記第２端に近い位置に位置する点Ｂまでの第１ブランチ（３０）と前記点Ｂから前記第２端（１８）までの第２ブランチ（３２）とを備え、前記湾曲部の長さはほぼ前記中心Ｏの円の円周長さ以上で、前記第１ブランチの前記外側エッジは前記中心Ｏに一致しない中心Ｏ’・Ｒより大きく１．１０Ｒよりも小さい半径Ｒ’の円の一部により画定され、前記湾曲部における前記第２ブランチの前記外側エッジは前記点Ｂで前記中心Ｏ’の円の一部と滑らかに接続する中心Ｏの双曲うずまき線の一部により画定されており、
前記中心Ｏ及び前記点Ａを接続する中位径と前記中心Ｏ及び前記第１ブランチの前記外側エッジ上の点Ｍを結ぶ直線部分ＯＭとがなす中心角が前記中位径と前記中心Ｏ及び前記第２ブランチの前記外側エッジ上の点Ｍ’を結ぶ直線部分ＯＭ’とがなす中心角に等しくなる点Ｍについて、すべての前記直線部分ＯＭ’が前記直線部分ＯＭより長く、
前記第２ブランチの前記外側エッジ上のすべての前記点Ｍ’における曲率半径が前記半径Ｒ’よりも大きいことを特徴とする水晶体嚢リング。
【請求項２】
前記湾曲部の少なくとも前記第２端（１８）が前記面内において拡幅された末端部（２２）を含んでおり、前記末端部には前記操作手段を形成する操作孔（２６）が設けられていることを特徴とする請求項１に記載の水晶体嚢リング。
【請求項３】
２つの湾曲した前記部分の結合点Ｂは、前記中位径に関して前記第２ブランチ側に位置することを特徴とする請求項１又は２に記載の水晶体嚢リング。
【請求項４】
前記湾曲部（１０）の主要部分における前記外側エッジ（１２）と前記内側エッジ（１４）との間隔がほぼ一定であることを特徴とする請求項１〜３のいずれか１項に記載の水晶体嚢リング。
【請求項５】
前記湾曲部の前記第１ブランチ（３０）における前記外側エッジと前記内側エッジとの間隔がほぼ一定の幅ｅであり、前記湾曲部の前記第２ブランチ（３２）における前記外側エッジと前記内側エッジとの間隔が、点Ｂから前記第２端（１８）近傍へとｅよりも大きい幅ｅ’まで増加していることを特徴とする請求項１〜３のいずれか１項に記載の水晶体嚢リング。
【請求項６】
前記第１ブランチの前記外側エッジを画定する前記中心Ｏ’の円の前記一部に対応した中心角（ａ）が１２０°より大きく１８０°未満であることを特徴とする請求項１〜５のいずれか１項に記載の水晶体嚢リング。
【請求項７】
ポリメタクリル酸メチル（ＰＭＭＡ）からなることを特徴とする請求項１〜６のいずれか１項に記載の水晶体嚢リング。
【請求項８】
請求項１〜７のいずれか１項に記載の水晶体嚢リング（１０）と、
水晶体嚢内に前記水晶体嚢リングを装着するためのリング導入器（４０）とを備え、
前記リング導入器（４０）は軸方向通路が形成されたカニューレ（４６，７６）とリング操作機構を持つ本体（４２，７０）とを含み、
前記リング操作機構は前記軸方向通路内側に引き込まれたフレキシブルワイヤ（５４，８０）を備え、前記フレキシブルワイヤは、一時的に前記水晶体嚢リングを固定するために前記水晶体嚢リングの操作手段（２６）と共働するのに適した操作部材（５６）が設けられた第１端と、前記フレキシブルワイヤを前記軸方向通路内で移動させるための手段（４８，７２）に固定された第２端とを有し、
前記操作部材が前記操作手段に固定されているとき、前記水晶体嚢リングはその前記第２ブランチに応力が加えられることがないように前記第２端から前記第２ブランチの適切な長さだけ前記カニューレの軸方向通路内側に引き込まれることを特徴とする水晶体嚢リングシステム。
【請求項９】
前記リング導入器と、前記カニューレ内側に引き込まれた前記水晶体嚢リングとを収納する容器をさらに備えていることを特徴とする請求項８に記載の水晶体嚢リングシステム。
【請求項１０】
前記容器はガスによる殺菌が可能な材料からなることを特徴とする請求項９に記載の水晶体嚢リングシステム。
【発明の詳細な説明】
【０００１】
本発明は、水晶体嚢リング、及び、水晶体嚢リングとリング導入器とから構成された組立体に関する。
【０００２】
より正確には、本発明は、水晶体嚢の本来の円形形状を維持するため、水晶体を除去した後水晶体嚢内に装着される弾性変形可能なリングに関し、特に続いて行われる水晶体嚢内への眼内インプラントの設置がしやすいものに関するが、これに限定されるものではない。
【０００３】
いわゆる“白内障”の手術では、莢膜又は水晶体嚢と称される水晶体の被膜を保護しつつ、水晶体を除去するということが知られている。しかしながら、水晶体嚢は、毛様小帯として知られる繊維状帯を介して眼の内壁に結合された非常に薄い膜からできており、この膜が一定の円形形状に保持されない傾向にある。
【０００４】
また、水晶体を除去した後は、水晶体嚢内に眼内インプラントを設置することが知られている。ここで用いられる眼内インプラントは、略円形の光学部と、眼内インプラントの光学軸が眼の光学軸にほぼ一致するよう当該眼内インプラントの光学部を中心に設置する機能を果たす、弾性変形可能な触覚部とを必須要素として有する。触覚部が適切に機能を果たすこと、即ち触覚部が光学部を中心に保持するのを確実にするためには、触覚部の自由端で押圧される水晶体嚢の周縁が円形形状を維持していなければならず、特に、毛様小帯が破損したり水晶体嚢が縮んだりすることがないよう、水晶体嚢内に皺を形成しないようにするのが重要である。
【０００５】
水晶体嚢の円形形状を保持させるため、通常ポリメタクリル酸メチル（ＰＭＭＡ）からなる弾力性のあるリングを導入するという提案が既になされており、このようなリングの弾性伸長が水晶体嚢の形状保持の機能を果たす。また水晶体嚢を構成する膜がリングにより押圧されることで、副次的に、水晶体嚢を不明瞭にして患者の視力を低下させる原因となる寄生細胞の増殖を防止又は少なくとも抑制される。このような水晶体嚢リングは特に欧州特許０８８４０３１号に開示されており、この公報ではリングは対称形状であると記載されている。リングが対称形状であると、リングを装着する際に水晶体嚢内に皺を形成しないようにすることができない。さらに、リングが対称形状の場合は、水晶体嚢の周縁全体に亘ってほぼ一定の力をかけることができない。
【０００６】
本発明の目的は、皺を形成しないようにしながら水晶体嚢内に装着できると共に、水晶体嚢の周縁にかかる力をより効率的に分布させ、さらに効率よく水晶体嚢を本来の円形形状に維持することのできるような形状の水晶体嚢リングを提供することである。
【０００７】
この目的を達成するため、本発明は、操作手段を備えた第１端と第２端とを有する湾曲部を備え、湾曲部は、湾曲部を互いに均等な２つの部分に分ける面と、面と直交する方向にほぼ一定の厚みと、外側エッジ及び内側エッジとを有しており、無負荷状態で面内にあるとき、湾曲部の外側エッジが中心Ｏ・水晶体嚢の半径とほぼ等しい半径Ｒである円に点Ａでほぼ接するように配置されると共に外側エッジが円の外側に位置する水晶体嚢リングであって、湾曲部はさらに第１端から、外側エッジにおける点Ａよりも第２端に近い位置に位置する点Ｂまでの第１ブランチと点Ｂから第２端までの第２ブランチとを備え、湾曲部の長さはほぼ中心Ｏの円の円周長さ以上で、第１ブランチの外側エッジは中心Ｏに一致しない中心Ｏ’・Ｒより大きく１．１０Ｒよりも小さい半径Ｒ’の円の一部により画定され、湾曲部における第２ブランチの外側エッジは点Ｂで中心Ｏ’の円の一部と滑らかに接続する中心Ｏの双曲うずまき線の一部により画定されており、中心Ｏ及び点Ａを接続する中位径と中心Ｏ及び第１ブランチの外側エッジ上の点Ｍを結ぶ直線部分ＯＭとがなす中心角が中位径と中心Ｏ及び第２ブランチの外側エッジ上の点Ｍ’を結ぶ直線部分ＯＭ’とがなす中心角に等しくなる点Ｍについて、すべての直線部分ＯＭ’が直線部分ＯＭより長く、第２ブランチの外側エッジ上のすべての点Ｍ’における曲率半径が半径Ｒ’よりも大きいことを特徴とする水晶体嚢リングを提供する。
【０００８】
水晶体嚢リングが、水晶体嚢の半径よりも若干大きい半径を持つ円の一部を形成する第１ブランチと、双曲うずまき線を形成する第２ブランチとを備えているのが理解されるであろう。上記第１ブランチは、水晶体嚢内に最初に挿入されるものである。この第１ブランチは、水晶体嚢の半径に近い半径を持つ半円とほぼ一致するため、水晶体嚢内に装着するのが容易である。そして双曲うずまき線を形成する第２ブランチが水晶体嚢内に設置されたときにのみ、水晶体嚢リングは第２ブランチにおいて著しい弾性変形を生じる。さらに、水晶体嚢リングの第２ブランチが双曲うずまき線の形状であるので、この第２ブランチにおける水晶体嚢の径より大きい部分の径は漸次的にのみ増加する。これにより、水晶体嚢リングの第２ブランチは漸次的に圧縮されるため、第２ブランチを設置しやすく、そしてリング全体の装着がより容易になる。
【０００９】
さらに、水晶体嚢の形状を維持するための水晶体嚢リングにおける弾性変形が、略半円形を形成する水晶体嚢リングの第２ブランチに沿って分布するため、水晶体嚢に負荷された力がより効率的に分布し、水晶体嚢内に皺を形成してしまうという問題を回避できる。
【００１０】
眼内そして水晶体嚢内へと水晶体嚢リングを装着する際の装着方法に関して、また別の問題が存在している。一般に略２．５〜４ｍｍの小さな直径のカニューレが末端に備えられたリング導入器を用い、小さなサイズの切開部から、水晶体嚢リングを眼内に装着するという方法が知られている。水晶体嚢リング全体をカニューレ内に挿入し且つその後カニューレの端部を眼内に設置して水晶体嚢リング全体をカニューレから眼内へ排出できるようにするためにリング導入器はワイヤを備え、さらにそのワイヤの端部にはフックが備えられており、水晶体嚢リングの少なくとも一端が上記フックを受けるのに適したものとなっている。水晶体嚢リングの端部をリング導入器のフックに取り付けるのにある程度の作業が必要であるが、水晶体嚢リングの直径及びリング導入器におけるワイヤ端部のフックの直径が小さいので作業は非常に困難である。
【００１１】
このように、水晶体嚢リングを眼内に装着するために、当該水晶体嚢リングをリング導入器に取り付ける場合において大きな問題が存在している。
【００１２】
本発明に係るもう１つの目的は、上述した従来のような作業が必要のない、水晶体嚢リングとこのリングと共働するリング導入器とを備えたシステムを提供することである。
【００１３】
本発明に係る水晶体嚢リングシステムは、異なる曲率半径を持つ２つの非対称形ブランチを備えた水晶体嚢リングと、水晶体嚢内に水晶体嚢リングを装着するためのリング導入器とを備え、リング導入器は軸方向通路が形成されたカニューレとリング操作機構を持つ本体とを含み、リング操作機構は軸方向通路に引き込まれたフレキシブルワイヤを備え、フレキシブルワイヤは、一時的に水晶体嚢リングに固定するために水晶体嚢リングの操作手段と共働するのに適した操作部材を備えた第１端と、フレキシブルワイヤを軸方向通路内で移動させるための手段に固定された第２端とを有し、操作部材が操作手段に固定されているとき、水晶体嚢リングはその第２ブランチに応力が加えられることがないように第２端から第２ブランチの適切な長さだけカニューレの軸方向通路に引き込まれることを特徴とする。
【００１４】
上記発明によると、カニューレ内に一部分挿入される水晶体嚢リングのブランチは従来技術によるものに比べてはるかに大きい曲率半径を持つため、当該ブランチの一端をリング導入器のカニューレ内に取り付けてできた組立体を、手術の際使用するまで保管することが可能である。
【００１５】
このように水晶体嚢リングの第２ブランチが大きな曲率半径を持つため、当該第２ブランチに著しい変形が分布することなく、第２ブランチの端部をカニューレ内に保持した状態を維持できる。従来の標準的なタイプの水晶体嚢リングの両端には著しい湾曲が形成されており、リングの当該端部で応力が上昇し、ある一定時間経過後に強度が著しく低下する傾向にあるため、従来技術では上記のように第２ブランチの端部がカニューレ内に保持された状態を維持できない。
【００１６】
本発明における他の特徴や効果は、非制限の実施例として挙げられる本発明に係る様々な実施形態についての以下の説明によって、より明確となるであろう。以下の説明は添付図面を参酌するものである。
【００１７】
先ず図１を参照しつつ、本発明に係る水晶体嚢リングにおける静止状態、即ち無負荷状態の形状について説明していく。本発明に係る水晶体嚢リングは、眼内インプラント、特に眼内インプラントの触覚部を製作するのに広く用いられている、生物学的適合性を有する材料であるＰＭＭＡからなるのが好ましい。
【００１８】
水晶体嚢リング１０は、中心Ｏ、リングを装着する水晶体嚢の半径とほぼ等しい半径Ｒを持つ円Ｃにおいて画定される。水晶体嚢リング１０は、点Ａで接するように当該円Ｃの外側に配置されている。より正確には、円Ｃは水晶体嚢リング１０の外側エッジ１２と接するものであり、水晶体嚢リングはさらに内側エッジ１４を備えている。水晶体嚢リングは、第１端１６と第２端１８とを有する湾曲部を備えている。本実施形態において、水晶体嚢リングの幅、即ち外側エッジ１２と内側エッジ１４との間隔は一定であり、例えば０．１７ｍｍとしてよい。水晶体嚢リングの湾曲部を互いに均等な２つの部分に分ける面に垂直方向の厚みはほぼ一定で、例えば０．１７ｍｍとしてよい。そして水晶体嚢リングを操作するための操作孔２４，２６を形成するように、第１端１６及び第２端１８に相当する末端部２０，２２のみが拡幅されている。また、水晶体嚢リングの“主要”部分とは、水晶体嚢リングの末端部２０，２２を除いた長さの部分を意味するものとする。
【００１９】
水晶体嚢リングは、その形状の画定に関して、第１端１６から、接点Ａから円Ｃの中心角ｂだけ離れた外側エッジの点Ｂまで延在する第１ブランチ３０を備えている。ここで、中心角ｂは１°〜１５°の範囲内であるのが好ましく、点Ｂは中位径ＡＡ’に関して後述の第２ブランチ側に位置している。水晶体嚢リングはまた、点Ｂから第２端１８まで延在する第２ブランチ３２を備えている。
【００２０】
第１ブランチ３０は全体として中心Ｏ’半径Ｒ’の円弧３４と一致しており、中心Ｏ’は通常中心Ｏと一致しないものとする。半径Ｒ’は、Ｒ〜１．１０Ｒの範囲内である（Ｒ＜Ｒ’＜１．１０Ｒ）。円弧３４の中心Ｏ’に関する中心角ａは１８０°未満で、好ましくは１２０°より大きい。
【００２１】
水晶体嚢リングの第１ブランチ３０は通常、半円より若干小さく且つ水晶体嚢の半径より若干大きな半径Ｒ’を持つ円弧を形成することが理解されるであろう。
【００２２】
水晶体嚢リングにおける第２ブランチ３２の外側エッジ１２は双曲うずまき線、より正確には中心Ｏの双曲うずまき線の一部によって画定されている。図示されている実施形態においては、極座標における双曲うずまき線部分の式はｒ＝１７／ｑ（ｑ：中心角）となっている。
【００２３】
水晶体嚢リングの第１及び第２ブランチ３０，３２が上記のような形状であるため、円Ｃの中位径ＡＡ’と角度ｘをなす位置にある第２ブランチ３２の外側エッジ上の点Ｍ’、及び、中位径ＡＡ’と上記と同じ角度ｘをなす位置にある第１ブランチ３０の外側エッジ上の点Ｍを考慮すると、常に間隔ＯＭ’は間隔ＯＭより長いのが理解されるだろう。また、第２ブランチ３２の曲率半径は、第１ブランチ３０の曲率半径よりはるかに大きく、点Ｂから水晶体嚢リングの第２端１８に向けて増加しているのが理解されるだろう。
【００２４】
水晶体嚢リングにおける２つのブランチが上述した形状であることから、水晶体嚢リングは水晶体嚢内に容易に装着可能であることが理解されるであろう。
【００２５】
図２は、リング導入器４０を示す。リング導入器４０は、カニューレ４６を固定する円錐形部分４４を末端に備えた円筒体４２を含み、ここで用いるカニューレは円弧４６を形成している。ピストン４８は、円筒体４２内において移動可能であり、手動操作ヘッド５０と、ピストン４８が動くとカニューレ４６内で移動可能となるワイヤ５４の端部に固定された第２端５２とを有している。後にさらにより詳しく説明するように、このワイヤ５４の端部には、操作孔２６を介して水晶体嚢リングの第２端１８を固定可能とするフック５６が備えられている。ピストン４８の段部６０とリング導入器の円筒体の段部６２との間に配置されている復帰バネ５８は、ワイヤ５４をカニューレ４６内へと引き込むよう付勢する。後述の理由により、リング導入器４０は、円筒体の穿孔６８とピストン４８の内径７０とに嵌合可能なスタッド６６を含む除去可能なクリップ型部材６４を、取り付けるようにする。クリップ型部材６４を取り付けると、ピストン４８とリング導入器のワイヤ５４のフックとが正確な位置で静止保持され、ワイヤ５４のフックはカニューレの開口部４６ａから長さｌだけ内側に入った配置となる。
【００２６】
図４は、水晶体嚢リング１０が取り付けられ、水晶体嚢リングの第２端１８がフック５６を介してワイヤ５４に取り付けられてカニューレの端部を通過した状態のリング導入器４０を示す。図５により明確に示すように、水晶体嚢リング１０の第２ブランチ３２の第２端は、著しい応力を受けることなくカニューレ４６内に収容されるよう、カニューレ４６内にｌ以上の長さ分引き込まれている。既に説明したように、本実施形態に係る水晶体嚢リング１０の第２ブランチ３２の第２端における曲率半径は従来技術によるものに比べてはるかに大きいため、上記のような特に望ましい結果が得られる。
【００２７】
長さｌは、４〜５ｍｍの範囲内であるのが好ましい。
【００２８】
図６は、リング導入器のワイヤ５４に設けられたフック５６についての好適な一実施形態の詳細図である。このフックは、ワイヤ５４をある角度に折り曲げた屈曲端部により構成されている。屈曲端部の屈曲角度ｃは、ワイヤの主要部に関して４５〜９０°の範囲内にある。フックがこのような形状であるため、水晶体嚢リングの端部がカニューレ４６内にある限り、フックは水晶体嚢リングの操作孔２６内に保持されるのが理解されるであろう。そして外科医はリング導入器を操作するだけで、水晶体嚢リングの端部をカニューレ外へと引き出し、リング導入器から水晶体嚢リングを排出することができる。
【００２９】
好適な実施形態において、カニューレは長さ１．１ｍｍ及び０．６ｍｍの軸を持つ楕円形断面の内孔を有する。また、ワイヤ５４の直径は０．３ｍｍ、操作孔２６の直径は０．４ｍｍであるのが好ましい。
【００３０】
水晶体嚢リングの第２端がリング導入器のカニューレ内に設置され且つリング導入器のワイヤ５４に連結された、水晶体嚢リング１０とリング導入器とから構成された組立体は、水晶体嚢リングの端部に応力が負荷されないため、長期に亘って保管可能であることが理解できるであろう。このようなリング導入器と水晶体嚢リングとから構成された組立体は、殺菌用ガス（エチレンオキシドガス）を通過可能とするシールが施されたユニット内に設置される。
【００３１】
このように、外科医が患者の水晶体嚢内に水晶体嚢リングを装着しようとするとき、水晶体嚢リングは既にリング導入器のワイヤ５４に連結された状態となっている。外科医がクリップ型部材６４を除去するという動作をするだけで、ピストン４８は復帰バネの付勢力で後方に移動し、水晶体嚢リング１０全体がカニューレ４６内に引き込まれる。そして外科医は、患者の眼内に予め形成された切開部からカニューレの端部４６ａを挿入する。ここで、眼内の切開部ではピストンを押圧できるようになっており、これにより、上述のように水晶体嚢周縁の本来の形状に相当する略半円形状である第１ブランチが水晶体嚢内に先ず挿入された後少しずつ水晶体嚢リング全体が引き込まれて、水晶体嚢リングが漸次排出されるようになっている。
【００３２】
図７、図７Ａ、及び図７Ｂは、リング導入器についての第２の実施形態を示す。本実施形態においては、内部で移動可能なピストン７２を備えた円筒体７０を含んでいる。円筒体７０の円錐形部分７４は、図２のカニューレ４６と同様のカニューレ７６に嵌合するようになっている。復帰バネ７８は、ピストン７２を円錐形部分７４から離れる方向に付勢するものである。フックワイヤ８０はピストンの端部７２ａに固定され、カニューレ７６内で移動可能になっている。
【００３３】
ピストン７２は、分割リング８６と移動つまみ８８とから構成された移動部材８４を収容するための環状溝８２を有する。移動つまみ８８は、ピストン７２と共に平行移動し且つ回転自在となっている。また移動つまみ８８は、リング導入器の円筒体７０に形成された細長溝９０内に貫挿されている。この細長溝９０の形状は、図７Ｂにより明確に示されている。細長溝は、リング導入器本体の軸に平行な直進部９２と偏向部８４とを有する。直進部９２は、円錐形部分近傍の点Ｅと点Ｆ（図７参照）との間に延在している。移動つまみ８８が点Ｅにあるとき、フックワイヤ８０はカニューレの外側に十分に引き出され、フックワイヤから水晶体嚢リングを取り外しできる状態である。移動つまみ８８が点Ｆにあるときは、水晶体嚢リング全体がカニューレ７６内に収容された状態である。この状態が水晶体嚢リング装着開始のときの配置である。
【００３４】
細長溝の偏向部９４は、収容位置を確定するものである。細長溝の偏向部９４は点Ｇ，Ｈ間に延在する第１ブランチ９６を備えており、この点Ｇが、上述のように水晶体嚢リングのわずかな部分のみがカニューレ内に収容されるという水晶体嚢リングの収容位置に相当する。第２ブランチ９８は、点Ｈから直進部９２に繋がる点Ｉまで延在している。
【００３５】
収容位置において、点Ｈに屈曲部が形成されているため、移動つまみ８８は復帰バネ７８により付勢されながら点Ｇに静止状態で保持される。
【００３６】
外科医は、このリング導入器を用いるとき、移動つまみ８８が偏向部９４の屈曲部Ｈを通過するまでピストン７２のヘッドを押圧する必要がある。そして、復帰バネ７８の付勢力を受けながら、移動つまみ８８をこの位置から溝部９６、直進部９２に沿わせて点Ｆに至らせる。こうして、水晶体嚢リングは完全にカニューレ内に引き込まれる。以上のように、組立体は水晶体嚢リングを導入可能にされている。
【００３７】
外科医はピストン７２のヘッドを押圧するだけでよく、これにより移動つまみ８８が直進部９２に沿って移動し、水晶体嚢リングはリング導入器のカニューレから排出されることになる。
【００３８】
移動つまみ８８が点Ｅに到達すると、水晶体嚢リングはフックワイヤ８０の端部から外れて患者の眼内に完全に装着される。
【図面の簡単な説明】
【図１】  本発明に係る水晶体嚢リングの平面図である。
【図２】  リング導入器の第１の実施形態についての縦断面図である。
【図３Ａ】  図２のリング導入器をロックするための部材を示す斜視部分断面図である。
【図３Ｂ】  図２のリング導入器をロックするための部材を示す斜視部分断面図である。
【図４】  水晶体嚢リングがリング導入器のカニューレ内に設置されていく状態を示す部分縦断面図である。
【図５】  図４の詳細としてカニューレ内における水晶体嚢リングの端部の配置を示す図である。
【図６】  水晶体嚢リングをカニューレ内に取り付ける部材についての一実施形態を示す図である。
【図７】  リング導入器の第２の実施形態についての縦断面図である。
【図７Ａ】  図７のＡ−Ａ線に関する断面図である。
【図７Ｂ】  図７に示すリング導入器についての部分斜視図である。
【図１】
0004248179.tif 000002
【図２】
0004248179.tif 000003
【図３Ａ】
0004248179.tif 000004
【図３Ｂ】
0004248179.tif 000005
【図４】
0004248179.tif 000006
【図５】
0004248179.tif 000007
【図６】
0004248179.tif 000008
【図７】
0004248179.tif 000009
【図７Ａ】
0004248179.tif 000010
【図７Ｂ】
0004248179.tif 000011